(57)【要約】チャック躯幹体1と、クランプジョー保持体3との相対回転によって位置・姿勢をシフト可能なクランプジョー4を備え、締付テーパー体2がクランプジョー保持体3に対して相対回転可能な範囲を、第1の回転位置と第2の回転位置との間に制限する突き当てストッパー及び対抗ストッパー11を備える。また、掛け留め部材26と、第1及び第2の回転位置にそれそれ対応する2つの掛け留め箇所とからなる掛け留め機構12を備える。このような追い締め式のドリルチャックにおいて、係止スライダー6が、グリップスリーブ5に配置され、前記の第1及び第2の回転位置間の切り替えの際、チャック躯幹体1の第1のリング状歯切部7との噛み合わせから外れ出た位置・姿勢から、噛み合わされた位置・姿勢へと、またその逆へとシフトする。また、グリップスリーブ5がクランプジョー保持体3に対して追い締め方向に回転可能な範囲を制限する突き当てストッパー8を備える。【選択図】図１
2010508156.tif 000002
【特許請求の範囲】
【請求項１】
チャック躯幹体(１)と、チャック躯幹体(１)に同軸に回転可能な締付テーパー体(２)とを備え、この締付テーパー体(２)が、チャック躯幹体(１)に取り付けられたクランプジョー保持体(３)に、軸方向に支持されており、該クランプジョー保持体(３)の複数の案内スリット中に複数のクランプジョー(４)が案内されており、これらのクランプジョー(４)は、締付と締付の解除とを行うべく、チャック躯幹体(１)と、締付テーパー体(２)及びクランプジョー保持体(３)との間の相対回転によって位置・姿勢をシフト可能であり、
締付テーパー体(２)がクランプジョー保持体(３)に対して相対回転可能な範囲を、第１の回転位置と第２の回転位置との間に、確実に制限すべく、クランプジョー保持体(３)に突き当てストッパーが設けられるとともに締付テーパー体(２)に対抗ストッパー(１１)が設けられ、
また、掛け留め機構(１２)が、クランプジョー保持体(３)と締付テーパー体(２)との間に構成され、この掛け留め機構(１２)が、掛け留め部材(２６)と、第１の回転位置に対応する掛け留め箇所(１３)と、第２の回転位置に対応する掛け留め箇所(１３)とを備える追い締め式のドリルチャックにおいて、
チャック躯幹体(１)にグリップスリーブ(５)が回転可能に支持されており、該グリップスリーブ(５)には係止スライダー(６)が配置されており、該係止スライダー(６)は、前記第２の回転位置と前記第１の回転位置と間の切り替えの際、チャック躯幹体(１)に付属する第１のリング状歯切部(７)との噛み合わせから外れ出た位置・姿勢から、噛み合わされた位置・姿勢へとシフトし、そして、噛み合わされた位置・姿勢から、外れ出た位置・姿勢へとシフトし、
グリップスリーブ(５)がクランプジョー保持体(３)に対して追い締めをする方向へと相対回転することが可能な範囲を制限するための突き当てストッパー(８)が設けられていることを特徴とする、追い締め式のドリルチャック。
【請求項２】
締付テーパー体(２)及び／またはクランプジョー保持体(３)には、係止スライダー(６)の位置・姿勢を半径方向にシフトさせるための切替・調整カム面(９)が備えられることを特徴とする請求項１に記載のドリルチャック。
【請求項３】
切替・調整カム面(９)は、締付テーパー体(２)に回転不能に接続された調整・切替スリーブ(１０)に、軸方向へと張り出すスリーブ張り出し部(１４)として設けられ、このスリーブ張り出し部(１４)が、係止スライダー(６)の横方向スリット(１５)に噛み合っていることを特徴とする請求項２に記載のドリルチャック。
【請求項４】
突き当てストッパー(８)が、クランプジョー保持体(３)に配置されたピン(１６)により形成されており、このピン(１６)が、グリップスリーブ(５)に設けられた円周方向に延びる長孔(１７)に噛み合わされていることを特徴とする請求項１〜３のいずれかに記載のドリルチャック。
【請求項５】
長孔(１７)が、１２°〜３６°の角度にわたって、または、２４°の角度にわたって延びていることを特徴とする請求項４に記載のドリルチャック。
【請求項６】
グリップスリーブ(５)とクランプジョー保持体(３)との間には戻しバネ(１８)が配置されていることを特徴とする請求項１〜５のいずれかに記載のドリルチャック。
【請求項７】
インターロック機構を有しており、このインターロック機構が、一方の側に、チャック軸に同軸の第２のリング状歯切部(１９)を備え、他方の側に、バネ(２３)の力の下で第２のリング状歯切部(１９)に噛み合わされる係止ラッチ(２０)を備え、この係止ラッチ(２０)がクランプジョー保持体(３)に取り付けられており、
前記インターロック機構は、チャック躯幹体(１)及び係止ラッチ(２０)について、係止ラッチ(２０)が第２のリング状歯切部(１９)に差し込まれた際に、クランプジョー(４)の締付を解除する方向への相対回転を阻止するが、締め付ける方向への相対回転は阻むことなく許容し、
前記第１の回転位置は、係止ラッチ(２０)が第２のリング状歯切部(１９)に差し込まれた状態に相当し、前記第２の回転位置は、外れ出た状態に相当することを特徴とする請求項１〜６のいずれかに記載のドリルチャック。
【請求項８】
締付テーパー体(２)は、クランプジョー(４)の締付を解除する回転方向へと締付テーパー体(２)が回転した際、係止ラッチ(２０)を、第２のリング状歯切部(１９)に差し込まれた位置・姿勢から、外れ出た位置・姿勢へとシフトさせるために第２の切替・調整カム面(２１)を備えることを特徴とする請求項７に記載のドリルチャック。
【請求項９】
第２の切替・調整カム面(２１)が、調整・切替スリーブ(１０)に設けられていることを特徴とする請求項８に記載のドリルチャック。
【請求項１０】
係止ラッチ(２０)は、２アームのレバーとして構成され、少なくとも１つの係止歯(２７)を有する第１のレバーアームと、第２の切替・調整カム面(２１)に突き当てられるように構成された第２のレバーアームとを備えることを特徴とする請求項７〜９のいずれかに記載のドリルチャック。
【請求項１１】
係止ラッチ(２０)の支持軸と、ピン(１６)とが、１つの部材により一体に設けられることを特徴とする請求項７〜１０のいずれかに記載のドリルチャック。
【請求項１２】
前記バネ(２３)が、係止歯(２７)を有する第１のレバーアームにバネ力を加えることを特徴とする請求項１０または１１に記載のドリルチャック。
【請求項１３】
締付テーパー体(２)が、互いに別体の２つの部材からなり、係止ラッチ(２０)の位置・姿勢をシフトさせる役割を果たす締付解除リング(２２)を含むことを特徴とする請求項７〜１２のいずれかに記載のドリルチャック。
【請求項１４】
第２のリング状歯切部(１９)が、チャック躯幹体(１)に設けられたことを特徴とする請求項７〜１３のいずれかに記載のドリルチャック。
【請求項１５】
係止スライダー(６)が第１のリング状歯切部(７)に確実に噛み合ったままとするために、半径方向外側へと係止スライダー(６)の位置・姿勢がシフトするのを阻止する張り出し縁部(２８)が設けられたことを特徴とする請求項１〜１４のいずれかに記載のドリルチャック。
【請求項１６】
張り出し縁部(２８)が締付解除リング(２２)に設けられたことを特徴とする請求項１５に記載のドリルチャック。
【請求項１７】
締付操作を開始した際に、初期に求められるトルクの向上を行うための手段が備えられることを特徴とする請求項１〜１６のいずれかに記載のドリルチャック。
【請求項１８】
クランプジョー保持体(３)中にピン(３０)が取り付けられ、このピン(３０)が、締付テーパー体(２)に付属するピン受入部(３１)に、バネ力を受けて噛み合うことを特徴とする請求項１７に記載のドリルチャック。
【請求項１９】
ピン受入部(３１)の側にあるピン頭部(３２)が、ピン受入部(３１)と組み合わされて切替力を決定するように構成されていることを特徴とする請求項１８に記載のドリルチャック。
【請求項２０】
ピン(３０)をピン受入部(３１)に確実に噛み合わせるだけの、なるべく小さいバネ力が選ばれていることを特徴とする請求項１８または１９に記載のドリルチャック。
【請求項２１】
調整・切替スリーブ(１０)に少なくとも１つの切換凸部(３３)が設けられ、この切換凸部(３３)が、締付操作の開始前には、クランプジョー保持体(３)に設けられた凸部受入れ用凹陥部(３４)に係合し、締付操作が開始された際には、凸部受入れ用凹陥部(３４)から離れ出ることを特徴とする請求項１７に記載のドリルチャック。
【発明の詳細な説明】
【技術分野】
【０００１】
本発明は、追い締め式のドリルチャックに関する。
【背景技術】
【０００２】
追い締め式のドリルチャックが、チャック躯幹体と、チャック躯幹体と同軸に回転可能な締付テーパー体とを備える。該締付テーパー体は、チャック躯幹体に支持されたクランプジョー保持体に、軸方向から支持されている。該クランプジョー保持体の複数の案内スリット中には、複数のクランプジョーが案内されている。これらのクランプジョーは、締付と締付解除を行うべく、チャック躯幹体と、締付テーパー体及びクランプジョー保持体との間の相対回転によって位置・姿勢をシフト可能である。締付テーパー体がクランプジョー保持体に対して回転可能な範囲を、第１の回転位置と第２の回転位置との間に、確実に制限すべく、クランプジョー保持体に突き当てストッパが設けられるとともに、締付テーパー体に対抗ストッパが設けられる。また、掛け留め部材を備える掛け留め機構が、クランプジョー保持体と締付テーパー体との間に構成されている。掛け留め機構には、第１の回転位置に対応する掛け留め箇所と、第２の回転位置に対応する掛け留め箇所とが備えられる。
【０００３】
このようなドリルチャックは、未公開のドイツ特許出願DE102006024819.8より知られる。このドリルチャックは、追い締め特性を有している。これにより、ドリリング動作中におけるドリル工具の確実な締付を保証する。例えば打撃（ハンマー）ドリリングでの使用中にも、クランプジョーの締付エッジが、工具シャンクへ食い込む。しかしながら、ドリリング径が大きく、非常に高出力のドリルマシンにてドリリングを行うべきときには問題が生じる。なぜならその場合、労力をかけないとドリルチャックを開くことができない程度まで、または、工具を使わないと開くことができない程度まで、追い締めが行われるおそれがあるからである。
【先行技術文献】
【特許文献】
【０００４】
【特許文献１】ヨーロッパ特許出願公開EP1714721A
【特許文献２】ドイツ特許DE4305744C
【発明の概要】
【発明が解決しようとする課題】
【０００５】
そこで本発明の課題は、冒頭に述べたような追い締め式のドリルチャックにおいて、工具の取り替えのためにドリルチャックの確実な開放が保証されるように構成することにある。
【課題を解決するための手段】
【０００６】
この課題は本発明によると、冒頭に述べたようなドリルチャックにおいて、以下により解決される。チャック躯幹体にグリップスリーブが回転可能に取り付けられ、該グリップスリーブには係止スライダーが配置されている。該係止スライダーは、第２の回転位置と第１の回転位置との切り替えの際、チャック躯幹体に付属する第１のリング状歯切部との噛み合わせから外れ出た位置・姿勢から、噛み合わされた位置・姿勢へとシフトされ、また、この逆にシフトして元の位置・姿勢に復帰する。また、グリップスリーブが、クランプジョー保持体に対して、追い締めを行う方向へと相対的な回転を行い得る範囲を制限すべく、突き当てストッパーが設けられている。
【発明の効果】
【０００７】
このドリルチャックは、次の特徴を有している。追い締めの制限が行われるのであり、この追い締め制限は、ユーザーにより、ドリルシャンクを締め付ける際に、必然的に作動が開始される。追い締め制限の作動開始は、ユーザーが意識することがなく、そのために追加の取扱を行う必要もなしに行われる。グリップスリーブがチャック躯幹体に回転可能に搭載された状態は、本発明により備えられる係止スライダーにより、第２の回転位置と第１の回転位置との間で掛け留め機構の切り替えが行われた際に終了する。その結果、クランプジョー保持体の位置・姿勢をグリップスリーブに対してシフトさせることは、突き当てストッパーが突き当たるまでのみ可能となっている。
【図面の簡単な説明】
【０００８】
【図１】本発明によるドリルチャックを示す部分断面側面図である。左半部、及び軸方向後方端部は断面図で示す。
【図２】図１のII−II線に沿った断面図である。
【図３Ａ】締付解除の位置・姿勢にある状態を示す図１のIII−III線に沿った断面図である。
【図３Ｂ】締付の位置・姿勢にある状態を示す図１のIII−III線に沿った断面図である。
【図４】図１のIV−IV線に沿った断面図である。
【図５】締付解除リングを示す斜視図である。
【図６】調整・切替スリーブを示す斜視図である。
【図７】係止スライダーを示す斜視図である。
【図８】他の実施形態を示す図１に対応する部分断面側面図である。
【図９】図８のIX−IX線に沿った断面図である。
【図１０】図８のX−X線に沿った断面図である。
【図１１】図８のXI−XI線に沿った断面図である。
【図１２】図８のXII−XII線に沿った断面図である。
【図１３】さらに他の実施形態を示す図１に対応する部分断面側面図である。
【図１４】図１３の実施形態を示す図３Ｂに対応する図面である。
【図１５】さらに他の実施形態を示す図１に対応する部分断面側面図である。
【図１６】図１５のXVI−XVI線に沿った断面図である。
【図１７】図１５のXVII−XVII線に沿った断面図である。
【図１８】図１７におけるXVIII部分についての詳細図である。
【発明を実施するための形態】
【０００９】
本発明の枠内において、締付テーパー体及び／またはクランプジョー保持体、すなわちこれらの少なくとも一方が、半径方向に行われる係止スライダーの位置・姿勢のシフトのために、切替・調整カム面を有していると好都合である。このようであると、係止スライダーについて、第１のリング状歯切部における係止歯列に噛み合うための位置・姿勢のシフトを確実に行うことができる。この位置にあるときに係止スライダーはバネにより押し付けられている。このバネは、係止スライダーが第１のリング状歯切部に、容易に合わせられるようにする。確実に噛み合わせておくには、締付解除リングに設けられた、切替・調整カム面、および／または張り出し縁部が作動を行う。ここで、切替・調整カム面は、次のようであるのが好ましい。すなわち、締付テーパー体に回転不能に接続された調整・切替スリーブに、スリーブ張り出し縁部として設けられ、スリーブ張り出し縁部が、軸方向に突き出し、係止スライダーの横方向スリットに噛み合うというのが好ましい。このようであると、半径方向内側及び半径方向外側の両方向へ向けて、係止スライダーの位置・姿勢のシフトを確実に実現できるからである。
【００１０】
なお、ドリルチャックの構造をシンプルにするという観点から、次のようであるのが好ましい。突き当てストッパが、クランプジョー保持体に配置されたピンからなり、このピンが、グリップスリーブに設けられた円周方向に延びる長孔に噛み合うのであるならば好ましい。このようであると、長孔が延びる長さにより、追い締めの程度・範囲を増減させることが可能となる。そのため、長孔について、12°から36°の角度にわたって延びる円弧状、好ましくは24°の角度にわたって延びる円弧状とすることが提案される。このような円弧状であると、十分な追い締め特性を得ることができるとともに、ドリル工具をあまりにも安定強固に締め付るようにすることがないからである。
【００１１】
ドリル工具の締付の開始時に、追い締めの行程距離をフルに活用することが、常に可能であるようにするために、グリップスリーブと、クランプジョー保持体との間には、戻しバネが配置されている。
【００１２】
本発明における、きわめて好ましい一実施形態は、以下のようなインターロック機構を備えることを特徴とする。このインターロック機構は、一方の側に、チャック軸と同軸の第２のリング状歯切部を備え、他方の側に、バネの力の下で第２のリング状歯切部に噛み合わされる係止ラッチを備える。この係止ラッチは、クランプジョー保持体に支持されている。インターロック機構は、係止ラッチが第２のリング状歯切部に差し込まれた際には、チャック躯幹体及び係止ラッチについて、複数のクランプジョーの締付を解除する方向への相対回転を阻止するが、締め付ける方向への相対回転は、阻むことなく許容する。第１の回転位置は、第２のリング状歯切部に係止ラッチが差し込まれた状態に相当し、第２の回転位置は外れ出た状態に相当する。この実施形態であると、次のような特徴を有する。追い締めを制限することにより、締付テーパー体がチャック躯幹体に対して、チャックを閉じる回転方向へと位置・姿勢がシフトし過ぎるのを阻止するだけでなく、ドリリング作動中に振動の結果としてドリルチャックが開放することをも阻止する。ドリルチャックのこの実施形態においては、係止ラッチが差し込まれた状態と、外れ出た状態とに関連した２つの回転位置の間にて、締付テーパー体の位置・姿勢を、目標どおりにシフトさせるために、既存の掛け止め機構も、インターロック機構のところで活用される。
【００１３】
上記とともに、次のような形態を取ることができる。すなわち、クランプジョーの締付を解除する回転方向へと締付テーパー体が回転したときに、係止ラッチを、リング状歯切部に差し込まれた位置・姿勢から、外れ出た位置・姿勢へとシフトさせるために、締付テーパー体が第２の切替・調整カム面を備える。ここで、ドリルチャックを組み立てるのに必要な部材の数を減らすためには、第２の切替・調整カム面が、調整・切替スリーブに設けられる。また、次のような形態を取ることができる。係止ラッチが、２アームのレバーとして設けられ、少なくとも１つの係止歯を有する第１のレバーアームと、第２の切替・調整カム面に突き当てられるように構成された第２のレバーアームとからなる。ここで、係止ラッチの支持軸と、ピンとが１つの部材により一体に設けられる。
【００１４】
上記形態においては、バネが、係止歯を有する第１のレバーアームにバネ力を加える。また、締付テーパー体は、互いに別体の２つの部分からなり、係止ラッチの位置・姿勢をシフトさせる役目をする締付解除リングを備える。第２のリング状歯切部は、チャック躯幹体に設けられている。
【００１５】
本発明により想定される追い締め制限において、以下に注目すべきである。締付を進める際に初期抵抗が高くなったならば、次のいずれかである。すなわち、（１）ドリルチャックが汚れて、そのために動き難くなっているか、（２）非常に高いトルクで開放方向へ「衝撃的に」回転が行われ、このために少し噛み込んでしまったか、または、（３）工具シャンクがクランプジョーの間に誤った具合に差し込まれたかである。いずれであったとしても、追い締め制限の作動が既に開始しているという可能性がある。すなわち、追い締めの位置・姿勢シフトの大きさが制限されることで、締付力が制限される可能性がある。このことから次のようであると好ましい。すなわち、締付操作の開始時において初期に必要とされるトルクを高めるための手段が利用可能となっていれば好ましい。この手段によって、初期の詰まりが解消され、追い締め制限が作動する前には、さらなる締付を通常の回転モーメントでもって行うことができる。
【００１６】
この手段は、次のようにシンプルな様式にて実現することができる。すなわち、クランプジョー保持体にピンが取り付けられ、このピンが、締付テーパー体に割り当てられて備えられたピン受入部に、バネの力の下で噛み合うということで実現することができる。実現可能な最大締付力が低下するのを防ぐためには、次のことが想定されている。すなわち、ピン受入部を向く側にあるピン頭部は、ピン受入部との組み合わせで作動を行い、切換力を決定するように形作られている。ここで、バネの力は、ピンがピン受入れ部に確実に噛み合うようにするだけの、なるべく小さな値が選択されている。
【００１７】
上記に代えて、または、上記に付け加えて、上記のトルクを高める手段が次のように形成されても良い。すなわち、調整・切替スリーブに少なくとも１つの切替凸部が設けられる。この切替凸部が、締付操作が開始される前には、クランプジョー保持体に設けられた凸部受入れ用凹陥部に噛み合い、締付操作が開始された後には、凸部受入れ用凹陥部から離れ出る。
【００１８】
以下に、図面に示された実施例を参照しつつ、本発明について詳しく説明する。
【００１９】
図１に示す追い締め式のドリルチャックは、一つのチャック躯幹体１と、チャック躯幹体１に対して軸方向まわりに回転可能な一つの締付テーパー体２とを備える。締付テーパー体２は、チャック躯幹体１に取り付けられて支持されたクランプジョー保持体３に、軸方向に支持されている。クランプジョー保持体３の複数の案内スリット中に、複数のクランプジョー４が案内されている。これらのクランプジョー４は、締付とその解除とを行うべく、チャック躯幹体１と、締付テーパー体２及びクランプジョー保持体３との間の相対回転により位置・姿勢をシフト可能である。また、ドリルチャックがインターロック機構を含む。このインターロック機構が、一方では、チャック軸に共軸の、第２のリング状歯切部１９を備えており、他方では、クランプジョー保持体３に取り付けられた係止ラッチ２０を備える。係止ラッチ２０は、バネ２３の力の下で第２のリング状歯切部１９に差し込まれて係合する。インターロック機構は、係止ラッチ２０が第２のリング状歯切部１９に差し込まれた際、チャック躯幹体１及び締付テーパー体２について、クランプジョー４の締め付けを解除する方向への相対回転を阻止するが、締め付ける方向への相対回転は妨げることなく許容する。このようにして、ドリルチャックの追い締め特性を妨げることがない。なお、図面には、第２のリング状歯切部１９がチャック躯幹体１に設けられた実施形態が示されている。クランプジョー保持体３及び締付テーパー体２には、突き当てストッパー及び対抗ストッパー１１が設けられている。これらは、クランプジョー保持体３に対して締付テーパー体２が相対的に回転可能な範囲について、係止ラッチ２０が差し込まれた状態に相当する第１の回転位置と、外れ出た状態に相当する第２の回転位置との間に制限するためのものである。ここで、２つの掛け留め箇所１３を含む掛け留め機構１２によって、回転位置を、第１の回転位置及び第２の回転位置に固定することができる。図面に示した実施例によると、締付テーパー体２は、２つの構成部材からなり、その一方は、係止ラッチ２０の位置・姿勢をシフトさせる役割を果たす締付け解除リング２２である。締付け解除リング２２は、対抗ストッパー１１を支持するものでもあり、クランプジョー保持体３に対して限られた範囲にて位置・姿勢をシフト可能な構成部材である。ここでは、クランプジョー保持体３に対する回転可能性が、締付解除リング２２によって容易に調整・設定される。そのため、締付テーパー体２の先端側の部分は、クランプジョー保持体３に対して回転不能であるか、またはクランプジョー保持体３と回転不能に接続されているのであっても良い。ここで、掛け留め部材２６を有する掛け留め機構１２は、少なくとも、締付を解除する側への締付テーパー体２の回転方向では、予め設定された締付力に達したときに初めてクランプジョー保持体３に対する締付テーパー体２の回転を許容する。
【００２０】
このようなことは、以下により確実に実現される。ドリルチャックを締め付ける際に、クランプジョー４が、工具シャンクに当接するまで推（お）し動かされる。そして、これにより、クランプジョー４の位置・姿勢のさらなるシフトは、大きな抵抗を受ける。この大きな抵抗により、締付テーパー体２を回転させるにあたり、より大きなトルクの印加が必要となる。その結果、このような動作状況の下で、掛け留め機構１２は、第２の回転位置と、係止ラッチ２０が第２のリング状歯切部１９に差し込まれた第１の回転位置との間の切り替えが行われる際に、回転位置を保つように固定する動作を行うことになる。
【００２１】
工具の取り替えのためにドリルチャックの開放を可能にするには、係止ラッチ２０が再び第２のリング状歯切部１９から外れ出なくてはならない。そのため、締付テーパー体２には、締付テーパー体２がクランプジョー４の締付を解除する方向へと回転した際に係止ラッチ２０の位置・姿勢をシフトさせる第２の切替・調整カム面２１が割り当てられている。工具シャンクの締付についてのこのような解除を確実に行うべく、図示のドリルチャックにおいて、追い締めを制限する機構が具現されている。この機構の具現のため、チャック躯幹体１に回転可能に取り付けられたグリップスリーブ５が備えられ、このグリップスリーブ５には、係止スライダー６が配置されている。また、チャック躯幹体１に、第１のリング状歯切部７が割り当てられて配置されている。係止スライダー６は、第２の回転位置と第１の回転位置との間の切り替えの際、第１のリング状歯切部７に噛み合わされていない外れた位置・姿勢から、噛み合わされた位置・姿勢へと、シフトする。これとは逆方向へ回転が行われると、係止スライダー６は、再び第１のリング状歯切部７との噛み合わせから外れる。また、追い締めされる方向へと、クランプジョー保持体３に対してグリップスリーブ５が相対的に回転可能な範囲を制限すべく、一つの突き当てストッパーが設けられている。ここで、締付テーパー体２には、係止スライダー６の位置・姿勢を半径方向にシフト・切替させるべく、一つの切替・調整カム面９が割り当られている。調整・切替スリーブ１０が、締付テーパー体２または締付解除リング２２に回転不能に接続されており、切替・調整カム面９は、調整・切替スリーブ１０に、軸方向へと張り出すスリーブ張り出し部１４として設けられる。スリーブ張り出し部１４は、係止スライダー６の横方向スリット１５に噛み合わされる。ここで、調整・切替スリーブ１０が、インターロック機構のための第２の切替・調整カム面２１をも備えているのが、より目的に適っている。突き当てストッパー８は、それ自体が、クランプジョー保持体３に配置されたピン１６により形成される。すなわち、ピン１６が、突き当てストッパー８そのものである。このピン１６は、グリップスリーブ５に設けられた、円周方向に延びる長孔１７に噛み合う。この長孔１７は、図示の実施例において、24°の角度にわたって延びている。グリップスリーブ５とクランプジョー保持体３との間には、戻しバネ１８が配置されている。
【００２２】
図１５〜１８に示す実施例では、締付工程の開始時に当初必要となるトルクを高めるための手段が備えられる。すなわち、ピン３０が、クランプジョー保持体３に取り付けられて備えられる。このピン３０は、一つのバネの力の下で、締付テーパー体２に割り当てられたピン受入部３１に噛み合わされる。ここで、ピン受入部３１の側にあるピン頭部３２は、ピン受入部３１との組み合わせで作動を行うに際に切替力を決定するように形成されている。このように形成することで、バネ力を最低限とすることができ、切替プロセスの開始後に摩擦力を無視し得るものとすることができる。摩擦力は、得られる締付力に悪影響を及ぼし得るものである。そのため、バネの力は、ピン受入部３１中へのピン３０の差し込みによる係合だけを確実に実現すべく、なるべく小さい値が選択されている。
【００２３】
図１７と図１８には、他の実施形態が示されている。この実施形態においては、調整・切替スリーブ１０に、少なくとも一つの切換凸部３３が設けられている。この切換凸部３３が、締付操作の開始前には、クランプジョー保持体３に設けられた凸部受入れ凹陥部３４に係合し、締付操作の開始時にこれから離れるように構成されている。ただし、この場合には摩擦抵抗が増加する結果として、最大限実現可能な締付力の低下が生じる。
【００２４】
以下に、本発明のドリルチャックの作動様式について簡単に説明する。なお、複数のクランプジョー４が開いた状態にあるドリルチャックから出発して簡単に説明する。ドリリング工具のシャンクが複数のクランプジョー４の間に案内され、ドリルチャックを閉じる向きへと締付テーパー体２が回される。すると、複数のクランプジョー４に接続された一つの連れ動かし具２４が、チャック躯幹体１のネジ穴２５中にて、回転する。このようにして、複数のクランプジョー４の位置・姿勢を、軸方向前方へと、工具シャンクに近づくようにシフトさせる。クランプジョー４が工具シャンクに突き当てられると、回転抵抗が増大し、掛け留め機構１２は、掛け留め箇所１３を切り換え、これにより、回転位置をも切り換える。その結果、係止ラッチ２０が第２のリング状歯切部１９に差し込まれる。というのは、調整・切替スリーブ１０に設けられた第２の切替・調整カム面２１が、係止ラッチ２０の位置・姿勢をシフトさせるからである。調整・切替スリーブ１０が回転すると、第１の切替・調整カム面９によって、係止スライダー６も半径方向内側へと位置がシフトする。すると、係止スライダー６は、バネ２９の助けで第１のリング状歯切部７に噛み合わされる。係止スライダー６は、張り出し縁部２８（図１３、図１４）を通じて、トルクが高いときにも噛み合わされたままとなっている。また、係止スライダー６により、グリップスリーブ５がチャック躯幹体１に回転不能に接続されており、突き当てストッパ８ーでもって、追い締めの制限を実現している。
【符号の説明】
【００２５】
１  チャック躯幹体        ２  締付テーパー体      ３  クランプジョー保持体  
４  クランプジョー        ５  グリップスリーブ    ６  係止スライダー  
７  第１のリング状歯切部  ８  ストッパー          ９  切替・調整カム面  
１０  調整・切替スリーブ  １１  対抗ストッパー    １２  掛け留め機構  
１３  掛け留め箇所        １４  スリーブ張り出し部  １５  横方向スリット  
１６  ピン                １７  長孔              １８  戻しバネ
１９  第２のリング状歯切部  ２０  係止ラッチ    ２１  第２の切替・調整カム面  
２２  締付解除リング      ２３  バネ              ２４  連れ動かし具  
２５  ネジ穴              ２６  掛け留め部材      ２７  係止歯  
２８  張り出し縁部        ２９  バネ              ３０  ピン  
３１  ピン受入部          ３２  ピン頭部          ３３  切換凸部
３４  凸部受入れ用凹陥部
【図１】
2010508156.tif 000003
【図２】
2010508156.tif 000004
【図３Ａ】
2010508156.tif 000005
【図３Ｂ】
2010508156.tif 000006
【図４】
2010508156.tif 000007
【図５】
2010508156.tif 000008
【図６】
2010508156.tif 000009
【図７】
2010508156.tif 000010
【図８】
2010508156.tif 000011
【図９】
2010508156.tif 000012
【図１０】
2010508156.tif 000013
【図１１】
2010508156.tif 000014
【図１２】
2010508156.tif 000015
【図１３】
2010508156.tif 000016
【図１４】
2010508156.tif 000017
【図１５】
2010508156.tif 000018
【図１６】
2010508156.tif 000019
【図１７】
2010508156.tif 000020
【図１８】
2010508156.tif 000021
【国際調査報告】
2010508156.tif 000022
2010508156.tif 000023
2010508156.tif 000024
2010508156.tif 000025